(57)【特許請求の範囲】
【請求項１】
前後見頃部（１，２）は、前後の上下生地（１ａ，１ｂ，２ａ，２ｂ）により構成され、前後の上下生地（１ａ，１ｂ，２ａ，２ｂ）はそれぞれ左右の脇見頃部（４，４）相互間に掛け渡す態様で縫着されており、前後生地の下縁（１０，２０）は上側に向って凹む略円弧状に、前後生地の上縁（１１，２１）は下側に向って凹む略円弧状に、それぞれ形成してあり、前後の上記生地（１ａ，１ｂ，２ａ，２ｂ）の下部と上部とをそれぞれ左右縁部及びその付近のみで重なった状態にして、前屈時における身体の折れ曲がり位置に横長の孔（Ｈ１，Ｈ２）が形成されるようにしてあることを特長とする運動用シャツ。
【請求項２】
前身頃部（１）の生地（１ａ）、後身頃部（２）の生地（２ａ）は、綿、綿／ポリエステル混紡、綿／ナイロン混紡、ポリエステル、ポリウレタンの素材が用いられ、天竺編み、鹿子編み、丸編みである伸縮性を有する編地であることを特徴とする請求項1記載の運動用シャツ。
【請求項３】
前身頃部（１）の生地（１ｂ）、後身頃部（２）の生地（２ｂ）及び脇身頃部（４）（４）は、ポリエステルやナイロンといった吸水性の低い素材で構成されていることを特徴とする請求項1又は2記載の運動シャツ。
【発明の詳細な説明】
【０００１】
【発明の属する技術分野】
この発明は、バレーボールその他スポーツための運動用シャツに関するものである。
【０００２】
【従来の技術】
試合時間の長いスポーツ競技では、競技者は運動量の多さから全身が汗で濡れ、汗を吸った運動用シャツが上体に密着した状態になってしまう。
【０００３】
このため、例えばバレーボールのような前屈、後屈等の激しい動きを必要とするスポーツの場合、上体に密着した運動用シャツが身体の動きの妨げになったり、運動用シャツの裾等がずり上がって着崩れするなどの問題が生じていた。
【０００４】
したがって、スポーツ業界においては汗をかいた状態でも、身体の動きの妨げになりにくく、着崩れしにくい運動用シャツが開発されることを待ち望んでいる。
【０００５】
【発明が解決しようとする課題】
そこで、この発明では、汗をかいた状態でも、身体の動きの妨げになりにくく、着崩れしにくい運動用シャツを提供することを課題とする。
【０００６】
【課題を解決するための手段】
(請求項1記載の発明)
この発明の運動用シャツは、前後見頃部１，２は、前後の上下生地１ａ，１ｂ，２ａ，２ｂにより構成され、前後の上下生地１ａ，１ｂ，２ａ，２ｂはそれぞれ左右の脇見頃部４，４相互間に掛け渡す態様で縫着されており、前後生地の下縁１０，２０は上側に向って凹む略円弧状に、前後生地の上縁１１，２１は下側に向って凹む略円弧状に、それぞれ形成してあり、前後の上記生地１ａ，１ｂ，２ａ，２ｂの下部と上部とをそれぞれ左右縁部及びその付近のみで重なった状態にして、前屈時における身体の折れ曲がり位置に横長の孔Ｈ１，Ｈ２が形成されるようにしてある。
(請求項２記載の発明)
この発明の運動用シャツは、上記請求項1記載の発明に関し、前身頃部１の生地１ａ、後身頃部２の生地２ａは、綿、綿／ポリエステル混紡、綿／ナイロン混紡、ポリエステル、ポリウレタンの素材が用いられ、天竺編み、鹿子編み、丸編みである伸縮性を有する編地である。
(請求項３記載の発明)
この発明の運動用シャツは、上記請求項1又は２記載の発明に関し、前身頃部１の生地１ｂ、後身頃部２の生地２ｂ及び脇身頃部４，４は、ポリエステルやナイロンといった吸水性の低い素材で構成されている。
【０００７】
なお、この発明の運動用シャツの機能は以下の発明の実施形態の欄で説明する。
【０００８】
【発明の実施の形態】
以下、この発明の運動用シャツの実施の形態を、図面に基づいて説明する。
〔実施形態１〕
図１はこの発明の実施形態の運動用シャツＳの正面図、図２は前記運動用シャツＳの側面図、図３は前記運動用シャツＳの背面図である。
（この運動用シャツＳの基本的構成について）
この運動用シャツＳは、図１〜図３に示すように、バレーボール用のシャツであり、前身頃部１と、後身頃部２と、後身頃続き前身頃上部３と、左右一対の脇身頃部４，４を縫着するようにして形成されている。なお図１中、符号ＮＨで示したものはネックホール、符号ＡＨで示したものはアームホール、符号Ｍで示したものはマチ部である。
【０００９】
上記前身頃部１は、図１や図４に示すように、上下二枚の生地１ａ，１ｂにより構成されており、前記生地１ａ，１ｂはそれぞれ左右の脇身頃部４，４相互間に掛け渡す態様で縫着されている。ここでこの実施形態では、図１や図２に示すように、生地１ａの下縁10は上側に向かって凹む略円弧状に、生地１ｂの上縁11は下側に向かって凹む略円弧状に、それぞれ形成してあり、生地１ａの下部と生地１ｂの上部とは左右縁部及びその付近でのみで重なった状態、つまり前屈時における身体の折れ曲がり位置に横長の孔Ｈ１が形成された状態になっている。
【００１０】
後身頃部２は上記した前身頃部１と同様に、図２や図３に示すように、上下二枚の生地２ａ，２ｂを左右の脇身頃部４，４相互間に掛け渡す態様で縫着されており、前屈及び後屈時における身体の折れ曲がり位置には生地２ａの下縁20と生地２ｂの上縁21により横長の孔Ｈ２が形成されている。
【００１１】
なお、この実施形態の運動用シャツＳでは、図１や図３に示す部分が上部体Ｕ及び下部体Ｄになる。
（この運動用シャツＳを構成する生地について）
前身頃部１の生地１ａ、後身頃部２の生地２ａ及び後身頃続き前身頃上部３は、競技中の競技者の運動を阻害しないように適度な伸縮性を有するニット等の生地から構成されている。これら部分の生地としては、綿、綿／ポリエステル混紡、綿／ナイロン混紡、ポリエステル、ポリウレタン等の素材が用いられ、天竺編み、鹿子編み、丸編み等伸縮性を有する編地が好適である。
【００１２】
前身頃部１の生地１ｂ、後身頃部２の生地２ｂ及び脇身頃部４，４は、ポリエステルやナイロンといった比較的吸水性の低い素材であって、軽量の素材が好適であり、肌との接触面積が小さくなるよう、開口率の比較的大きいメッシュ生地を用いてある。
（前身頃部１、後身頃部２を上下二枚の生地で構成等したことによる機能）
この運動用シャツＳでは、後身頃部２を構成する生地２ａ，２ｂは脇身頃部４，４にのみ縫着されており、生地１ａ，１ｂ対して生地２ａ，２ｂは所謂縁切りされた状態となっている。
【００１３】
したがって、この運動用シャツＳを着た状態で汗をかくと、前屈時における身体の折れ曲がり位置を基準として、上側に生地１ａ，２ａ（上部体Ｕ）が、下側に生地１ｂ，２ｂ（下部体Ｄ）が、それぞれ密着することとなるが、前屈又は後屈（腕を上げた場合を含む）した場合には、図５や図６に示すように、生地１ａ，２ａ（上部体Ｕ）の下縁10，20と生地１ｂ，２ｂ（下部体Ｄ）の上縁11，21が相対移動することから、突っ張り感はほとんどなく、また、生地１ｂ，２ｂの裾が上方に引き上げられるようなことはない。つまり、この運動用シャツＳは、汗をかいた状態でも、身体の動きの妨げになりにくく、着崩れしにくい。
（その他の機能）
この運動用シャツＳは、前身頃部１及び後身頃部２に孔Ｈ１，Ｈ２が形成されているから、暑いとき等にはクーリング(COOLING) 機能を有する。
【００１４】
従来の運動用シャツにおいて皺ができる部分には孔Ｈ１，Ｈ２が形成されているから、この運動用シャツＳでは皺はできにくい。
〔実施形態２〕
図７はこの発明の実施形態の運動用シャツＳの正面図、図８は前記運動用シャツＳの側面図、図９は前記運動用シャツＳの背面図である。
【００１５】
この運動用シャツＳは、図７〜図９に示すように、バレーボール用のシャツであり、前身頃部１と、後身頃部２を縫着するようにして形成されている。
【００１６】
この運動用シャツＳでは、図７〜図９に示すように、上記前身頃部１は上下二枚の生地１ａ，１ｂにより、後身頃部２は前記生地２ａ，２ｂにより、それぞれ構成されており、前記生地１ａ，２ａによりシャツの上部体Ｕを、生地１ｂ，２ｂによりシャツの下部体Ｄを、それぞれ形成すると共に前記上部体Ｕと下部体Ｄとを脇部で連結（縫着）してある。
【００１７】
ここで、この実施形態では、図７〜図９に示すように、生地１ａ，２ａの下縁10は上側に向かって凹む略円弧状に、生地１ｂ，２ｂの上縁11は下側に向かって凹む略円弧状に、それぞれ形成してあり、前記上部体Ｕと下部体Ｄとを脇部で縫着した状態では、前屈時における身体の折れ曲がり位置に横長の孔Ｈ１，Ｈ２が形成されている。
【００１８】
なお、この運動用シャツＳにおいても上記実施形態１と同様に、汗をかいた状態でも、身体の動きの妨げになりにくく且つ着崩れしにくく、また、皺ができにくい共にクーリング機能も有している。
〔他の実施形態〕
▲１▼．上記実施形態１，２にかえて、図10に示すように、シャツの前後面に横長の孔Ｈ１（後面の孔は図示せず）を穿設してあるものでもよく、この場合においても前記孔を穿設する位置を前屈したときに身体が折れ曲がる位置又はその付近に設定したものであれば上記実施形態１，２と同様の機能を有する。
▲２▼．上記実施形態１では、生地１ａの下部と生地１ｂの上部とは左右縁部及びその付近で重なるようにしているが、これに限定されることなく、図11に示すように、生地１ａの下部の左右縁と生地１ｂの上部の左右縁が一致する態様でもよく、図12に示すように、生地１ａの下部の左右縁と生地１ｂの上部の左右縁が離れている態様でもよい。また、生地１ａの下縁と生地１ｂの上縁とが全域で重なり、孔Ｈ１が見えないようになる態様でもよい。
【００１９】
なお、生地２ａと生地２ｂの関係も、上記した生地１ａと生地１ｂの関係と同じ態様を採ることができる。
▲３▼．上記実施形態２では、上部体Ｕと下部体Ｄとを脇部で縫着する態様で連結しているが、これに限定されるものではなく、テープ、紐、金具（リング等）で連結するようにしてもよい。
▲４▼．運動用シャツを構成する生地の材質やメッシュであるか否かは上記実施形態に限定されず、目的に応じて自由に選択できる。
▲５▼．運動用シャツの形状は、上記実施形態の如きノースリーブに限定されず、スリーブ付きのシャツでもよい。
▲６▼．上記実施形態の運動用シャツはバレーボール用のシャツであるが、これに限定されることなく、その他のスポーツに使用されるシャツにもこの発明を施すことができる。
【００２０】
【発明の効果】
この発明は上記のような構成であるから次の効果を有する。
【００２１】
発明の実施の形態の欄に記載した内容から、汗をかいた状態でも、身体の動きの妨げになりにくく、着崩れしにくい運動用シャツを提供できた。
【図面の簡単な説明】
【図１】この発明の実施形態１の運動用シャツの正面図。
【図２】前記運動用シャツの側面図。
【図３】前記運動用シャツの背面図。
【図４】前記運動用シャツの斜視図。
【図５】前記運動用シャツを着て前屈した状態を示す図。
【図６】前記運動用シャツを着て両手を伸ばした状態を示す図。
【図７】この発明の実施形態２の運動用シャツの正面図。
【図８】前記運動用シャツの側面図。
【図９】前記運動用シャツの背面図。
【図１０】他の実施形態の運動用シャツの正面図。
【図１１】他の実施形態の運動用シャツの正面図。
【図１２】他の実施形態の運動用シャツの正面図。
【符号の説明】
Ｓ        シャツ
Ｕ        上部体
Ｄ        下部体
Ｈ１      孔
Ｈ２      孔
１        前身頃部
１ａ      生地
１ｂ      生地
２        後身頃部
２ａ      生地
２ｂ      生地
３        後身頃続き前身頃上部
４        脇身頃部
【図１】
0004214355.tif 000002
【図２】
0004214355.tif 000003
【図３】
0004214355.tif 000004
【図４】
0004214355.tif 000005
【図５】
0004214355.tif 000006
【図６】
0004214355.tif 000007
【図７】
0004214355.tif 000008
【図８】
0004214355.tif 000009
【図９】
0004214355.tif 000010
【図１０】
0004214355.tif 000011
【図１１】
0004214355.tif 000012
【図１２】
0004214355.tif 000013